(57)【要約】      （修正有）【課題】不正行為や人的なミスを防ぐことができるような信頼性の高い貸出管理を可能とする媒体貸出管理プログラム、媒体貸出管理装置、媒体貸出管理方法を提供する。【解決手段】コンピュータ１１を、貸出媒体７の借用者５の生体情報を取得して借用者５を認証する第１の認証手段と、貸出媒体７の管理者６の生体情報を取得して管理者６を認証する第２の認証手段と、貸出媒体７を撮像した画像から貸出媒体７を識別するための識別情報を取得する媒体読み込み手段と、借用者５を特定する情報と、管理者６を特定する情報と、識別情報とを関連付けて記憶領域に記録する記録手段として機能させる。【選択図】図３
2017134791.tif 000002
【特許請求の範囲】
【請求項１】
コンピュータを、
貸出媒体の借用者の生体情報を取得して前記借用者を認証する第１の認証手段と、
前記貸出媒体の管理者の生体情報を取得して前記管理者を認証する第２の認証手段と、
前記貸出媒体を撮像した画像から前記貸出媒体を識別するための識別情報を取得する媒体読み込み手段と、
前記第１の認証手段で認証された前記借用者を特定する情報と、前記第２の認証手段で認証された前記管理者を特定する情報と、前記媒体読み込み手段で取得した前記識別情報とを関連付けて記憶領域に記録する記録手段として機能させる
ことを特徴とする媒体貸出管理プログラム。
【請求項２】
請求項１に記載の媒体貸出管理プログラムであって、さらに、コンピュータを、
前記媒体読み込み手段で取得した前記識別情報と、予め登録された複数の貸出媒体の識別情報とを照合することで、前記貸出媒体を認証する第３の認証手段として機能させる
ことを特徴とした媒体貸出管理プログラム。
【請求項３】
請求項１又は請求項２に記載の媒体貸出管理プログラムであって、さらに、コンピュータを、
前記第１の認証手段で認証された前記借用者を特定する情報が、前記媒体読み込み手段で取得した前記識別情報と関連付けて前記記憶領域に記憶されているかどうかを判定する第１の照合手段と、
前記第２の認証手段で認証された前記管理者を特定する情報が、前記媒体読み込み手段で取得した前記識別情報と関連付けて前記記憶領域に記憶されているかを判定する第２の照合手段として機能させる
ことを特徴とした媒体貸出管理プログラム。
【請求項４】
請求項３に記載の媒体貸出管理プログラムであって、コンピュータを、
前記第１の照合手段及び前記第２の照合手段による判定結果に応じて、前記第１の認証手段で認証された前記借用者を特定する情報と、前記第２の認証手段で認証された前記管理者を特定する情報と、前記媒体読み込み手段で取得した前記識別情報とを関連付けて前記記憶領域に記録する前記記録手段として機能させる
ことを特徴とした媒体貸出管理プログラム。
【請求項５】
請求項１乃至請求項４のいずれか１項に記載の媒体貸出管理プログラムであって、さらに、コンピュータを、
前記第１の認証手段で認証された前記借用者が前記貸出媒体の貸し出しまたは返却を許可されている人物が否かを判定する第１の判定手段と、
前記第２の認証手段で認証された前記管理者が前記貸出媒体の管理を許可されている人物が否かを判定する第２の判定手段として機能させ、
前記第１の判定手段と前記第２の判定手段が、前記借用者または前記管理者が前記許可されている人物であると判定したときに、前記記録手段が、前記借用者を特定する情報と、前記管理者を特定する情報と、前記識別情報とを関連付けて前記記憶領域に記録する
ことを特徴とした媒体貸出管理プログラム。
【請求項６】
請求項１乃至請求項４のいずれか１項に記載の媒体貸出管理プログラムであって、さらに、コンピュータを、
前記第１の認証手段で認証された前記借用者が属するグループの種別と、前記第２の認証手段で認証された前記管理者が属するグループの種別と、前記媒体読み込み手段で前記識別情報が取得された前記貸出媒体が属するグループの種別と、を照合するグループ種別照合手段、
前記グループ種別照合手段の照合結果に基づいて、前記貸出媒体の貸出又は返却の可否を制御する許可制御手段、として機能させる
ことを特徴とした媒体貸出管理プログラム。
【請求項７】
貸出媒体の借用者の生体情報を取得して前記借用者を認証する第１の認証手段と、
前記貸出媒体の管理者の生体情報を取得して前記管理者を認証する第２の認証手段と、
前記貸出媒体を撮像した画像から前記貸出媒体を識別するための識別情報を取得する媒体読み込み手段と、
前記第１の認証手段で認証された前記借用者を特定する情報と、前記第２の認証手段で認証された前記管理者を特定する情報と、前記媒体読み込み手段で取得した前記識別情報とを関連付けて記憶領域に記録する記録手段と、を備える
ことを特徴とした媒体貸出管理装置。
【請求項８】
貸出媒体の借用者の生体情報を取得して前記借用者を認証し、
前記貸出媒体の管理者の生体情報を取得して前記管理者を認証し、
前記貸出媒体を撮像した画像から前記貸出媒体を識別するための識別情報を取得し、
認証した前記借用者を特定する情報と、認証した前記管理者を特定する情報と、取得した前記識別情報とを関連付けて記憶領域に記録する
ことを特徴とした媒体貸出管理方法。
【発明の詳細な説明】
【技術分野】
【０００１】
本発明は、媒体の貸出の管理を行う技術に関する。
【背景技術】
【０００２】
ＣＤやＤＶＤといった媒体（以下、貸出媒体と総称する）の貸し出しを管理する方法として、従来から、借用者と管理者と貸出媒体の情報をそれぞれ台帳に記録することで管理を行う方法が用いられてきた。図１は、従来の方法を用いて貸出が行われる際の様子を示している。貸出媒体３には予め固有の番号が付与されており、人が貸出媒体３の番号を目視確認して台帳４に記載することで貸出媒体３の情報を記録する。貸出時には、借用者１が貸出媒体３の情報の記載を行い、本人の名前と貸出日時の記された日付印を押印し、管理者２が同様に日付印を押印することで貸し出し行為が完了する。図２には、台帳４への記録例を示す。尚、返却に際しても貸し出しと同様の手順を踏む。
【０００３】
一方で、日付印を押印することで借用者と管理者の情報を記録するという方法では、借用者や管理者が本人であるという確証が得られず、例えば他人が特定の人物を詐称して貸し出しを行うことが起こり得る。そのような不正行為を抑制するためには、人物を確実に特定することができる技術が用いられるべきである。
【０００４】
借用者を特定する技術としては、例えば、借用者の静脈を撮像した画像を用いて生体認証を行うものが知られている（特許文献１）。
【先行技術文献】
【特許文献】
【０００５】
【特許文献１】特開２００６−２６０４８２号公報
【発明の概要】
【発明が解決しようとする課題】
【０００６】
一方で、貸出媒体の情報を目視確認によって判別する従来の貸出方法では、媒体情報もまた本物であるという確証を得られているとは言いがたい。例えば、媒体情報を台帳に記録する際に、情報を写し間違えることで誤記が生じる恐れがある。
【０００７】
以上より、従来の貸出方法では、借用者と管理者と貸出媒体の情報を得る過程において、不正行為や人的なミスが起こり得ることから、管理すべき情報の信頼性が十分に確保できていないといえる。そこで、より信頼性の高い貸し出しの管理を行うことができるシステムの考案が求められる。
【０００８】
以上から、不正行為や人的なミスを防ぐことができるような信頼性の高い貸出管理を可能とする媒体貸出管理プログラム、媒体貸出管理装置、媒体貸出管理方法を提供することを本発明の目的とした。
【課題を解決するための手段】
【０００９】
本発明の一態様における媒体貸出管理プログラムは、コンピュータを、貸出媒体の借用者の生体情報を取得して前記借用者を認証する第１の認証手段と、前記貸出媒体の管理者の生体情報を取得して前記管理者を認証する第２の認証手段と、前記貸出媒体を撮像した画像から前記貸出媒体を識別するための識別情報を取得する媒体読み込み手段と、前記第１の認証手段で認証された前記借用者を特定する情報と、前記第２の認証手段で認証された前記管理者を特定する情報と、前記媒体読み込み手段で取得した前記識別情報とを関連付けて記憶領域に記録する記録手段として機能させることを特徴とする。
【００１０】
本発明の一態様における媒体貸出管理装置は、貸出媒体の借用者の生体情報を取得して前記借用者を認証する第１の認証手段と、前記貸出媒体の管理者の生体情報を取得して前記管理者を認証する第２の認証手段と、前記貸出媒体を撮像した画像から前記貸出媒体を識別するための識別情報を取得する媒体読み込み手段と、前記第１の認証手段で認証された前記借用者を特定する情報と、前記第２の認証手段で認証された前記管理者を特定する情報と、前記媒体読み込み手段で取得した前記識別情報とを関連付けて記憶領域に記録する記録手段と、を備えることを特徴とする。
【００１１】
本発明の一態様における媒体貸出管理方法は、貸出媒体の借用者の生体情報を取得して前記借用者を認証し、前記貸出媒体の管理者の生体情報を取得して前記管理者を認証し、前記貸出媒体を撮像した画像から前記貸出媒体を識別するための識別情報を取得し、認証した前記借用者を特定する情報と、認証した前記管理者を特定する情報と、取得した前記識別情報とを関連付けて記憶領域に記録することを特徴とする。
【発明の効果】
【００１２】
本発明によれば、不正行為や人的なミスを防ぐことができるような信頼性の高い貸出管理を可能とする媒体貸出管理プログラム、媒体貸出管理装置、媒体貸出管理方法を提供することができる。
【図面の簡単な説明】
【００１３】
【図１】台帳を利用した従来の貸出管理方法を示す図である。
【図２】従来の貸出管理方法における台帳への記録例を示す図である。
【図３】第１の実施形態の媒体貸出管理装置を示す図である。
【図４】第１の実施形態の貸出媒体を示す図である。
【図５】第１の実施形態の媒体貸出管理プログラムを実行するコンピュータの構成を示す図である。
【図６】第１の実施形態の媒体貸出管理プログラムを実行するコンピュータの機能構成を示す図である。
【図７】第１の実施形態の借用者テーブルへの記録例を示す図である。
【図８】第１の実施形態の管理者テーブルへの記録例を示す図である。
【図９】第１の実施形態の媒体テーブルへの記録例を示す図である。
【図１０】第１の実施形態の台帳テーブルへの記録例を示す図である。
【図１１】第１の実施形態の媒体貸出管理装置における、操作画面を示す図である。
【図１２】第１の実施形態の媒体貸出管理装置における、登録処理のフローチャートを示す図である。
【図１３】媒体の読み込み処理のフローチャートを示す図である。
【図１４】借用者の認証処理のフローチャートを示す図である。
【図１５】管理者の認証処理のフローチャートを示す図である。
【図１６】終了情報領域への記録例を示す図である。
【図１７】第１の実施形態の媒体貸出管理装置における、貸し出し処理のフローチャートを示す図である。
【図１８】第１の実施形態の媒体貸出管理装置における、返却処理のフローチャートを示す図である。
【図１９】第１の実施形態の媒体貸出管理装置における、台帳参照処理のフローチャートを示す図である。
【図２０】第１の実施形態の媒体貸出管理装置における、台帳参照処理の表示データの表示例を示す図である。
【図２１】第１の実施形態の媒体貸出管理装置における、棚卸処理のフローチャートを示す図である。
【図２２】第１の実施形態の媒体貸出管理装置における、棚卸処理の棚卸結果の表示例を示す図である。
【図２３】第２の実施形態の借用者テーブルへの記録例を示す図である。
【図２４】第２の実施形態の管理者テーブルへの記録例を示す図である。
【図２５】第２の実施形態の媒体テーブルへの記録例を示す図である。
【図２６】第２の実施形態の媒体貸出管理装置における、登録処理のフローチャートを示す図である。
【図２７】第２の実施形態の媒体貸出管理装置における、貸し出し処理のフローチャートを示す図である。
【図２８】第２の実施形態の媒体貸出管理装置における、返却処理のフローチャートを示す図である。
【発明を実施するための形態】
【００１４】
以下、図面を参照しつつ、本発明の第１の実施形態における媒体貸出管理プログラムを用いた媒体貸出管理装置３０について説明する。図３は、第１の実施形態における媒体貸出管理装置３０を用いて貸し出しが行われている様子を示している。媒体貸出管理装置３０は、コンピュータ１１と、スキャナ１０ａと、スキャナ１０ｂから構成される。スキャナ１０ａは、生体認証用の撮像装置であって、人物の生体情報を含む画像を取得するものである。スキャナ１０ａは、借用者５と、管理者６を撮像し、借用者５と、管理者６の生体情報が含まれる画像を取得する。スキャナ１０ｂは、貸出媒体７を撮像し、貸出媒体７の画像を取得する。
【００１５】
図４は、貸出媒体７を示す図である。貸出媒体７には、貸出媒体７を特定するための情報である識別情報８と朱印９が付されている。識別情報８は、例えば複数の番号の羅列からなる。朱印９は、管理者６や運用責任者等の本媒体貸出管理システムを管理する人物によって押印される情報である。朱印９は、識別情報８との相対位置や押印の角度等の違いから、識別情報８と組み合わせることで偽造することが困難な情報であり、貸出媒体７をさらに確実に特定するための情報である。スキャナ１０ｂは、貸出媒体７の画像を取得する際に識別情報８と朱印９とを画像内に収めて撮像を行う。
【００１６】
図５は、コンピュータ１１の構成を示す。コンピュータ１１は、各種の演算処理を行うための構成を有しており、例えば、ＣＰＵ１２と、メモリ１３と、入出力装置（Ｉ／Ｏ）１４と、記憶領域１５と、を備え、これらがバスによって相互に接続されている。なお、図５は、コンピュータ１１の構成の一例であり、コンピュータ１１はこの構成に限定されるものではない。
【００１７】
ＣＰＵ１２は、所定のプログラムを実行して演算処理等を行う。メモリ１３は、例えば、ＲＡＭ（Random Access Memory）であり、プログラムの実行の際に、記憶領域１５に記憶されているプログラムまたはデータを一時的に格納する。
【００１８】
入出力装置１４は、スキャナ１０ａと、スキャナ１０ｂと、入力手段２３（キーボードやマウス等）からの信号を受信する。また、入出力装置１４は、モニタ２４へ信号を出力する。
【００１９】
記憶領域１５は、例えば、ハードディスク記憶装置（ＨＤＤ）であり、主に各種データやプログラムの保存に用いられる。
【００２０】
コンピュータ１１は、記憶領域１５に記憶されているプログラムをＣＰＵ１２がメモリ１３にロードして実行することで、様々な機能を実現する。以下、図６に列挙された、コンピュータ１１が実行する機能構成について説明する。
【００２１】
コンピュータ１１が実行する機能構成として、媒体読み込み処理部１６と、認証処理部１７と、登録処理部１８と、貸出処理部１９と、返却処理部２０と、台帳参照処理部２１と、棚卸処理部２２と、照合処理部２５が挙げられる。
【００２２】
媒体読み込み処理部１６は、スキャナ１０ｂで撮像した貸出媒体７の画像と、貸出媒体７の画像から貸出媒体７を識別するための識別情報８とを取得する媒体読み込み処理を行う。
【００２３】
認証処理部１７は、記憶領域１５に予め記憶されている認証データとスキャナ１０ａ、スキャナ１０ｂで取得した各種情報とを照合することで認証処理を行う。認証データとは、借用者の生体情報と、管理者の生体情報と、貸出媒体の識別情報及び画像である。認証処理部１７は、例えば、スキャナ１０ａで取得した借用者５の生体情報と、記憶領域１５に予め登録されている認証データである借用者の生体情報とを照合することで借用者５の認証を行う第１の認証手段として機能する。また、認証処理部１７は、スキャナ１０ａで取得した管理者６の生体情報と、記憶領域１５に予め登録されている認証データである管理者の生体情報とを照合することで管理者６の認証を行う第２の認証手段としても機能する。また、認証処理部１７は、スキャナ１０ｂで取得した貸出媒体７に付されている識別情報８と、後述する登録処理部１８によって記憶領域１５に予め登録された認証データである貸出媒体の識別情報とを照合することで、貸出媒体７の認証を行う第３の認証手段として機能する。また、認証処理部１７は、貸出媒体７を撮像した画像と、登録処理部１８によって登録された貸出媒体の画像とを照合してもよい。識別情報８だけでなく、画像に含まれる朱印９の識別情報８との相対位置や押印の角度等の特徴を照合することで、より確実に貸出媒体７を特定することができる。尚、各種認証データは、記憶領域１５ではなく、コンピュータ１１の外部に別の記憶媒体を設け、記憶してもよい。
【００２４】
登録処理部１８は、特定の貸出媒体７について、媒体読み込み処理部１６が抽出した識別情報８と、識別情報８と朱印９が含まれる貸出媒体７の画像の登録処理を実行する。
【００２５】
貸出処理部１９は、後述する貸出処理を実行する。返却処理部２０は、後述する返却処理を実行する。
【００２６】
台帳参照処理部２１は、後述する台帳参照処理を実行する。棚卸処理部２２は、後述する棚卸処理を実行する。
【００２７】
認証データは、記憶領域１５の各種テーブルに記憶されている。例えば、図７に示す借用者テーブル５１には、貸し出しを行うことができる候補者である借用者の生体情報が、その生体情報を有する借用者を特定する情報と関連付けて記録されている。ここでいう借用者を特定する情報は、例えば、借用者の名前である。図８に示す管理者テーブル５２には、管理者の生体情報が、その生体情報を有する管理者を特定する情報と関連付けて記録されている。ここでいう管理者を特定する情報は、例えば、管理者の名前である。
【００２８】
図９に示す媒体テーブル５３には、登録処理部１８によって登録された貸出媒体の識別情報と、貸出媒体の画像と、登録日と、棚卸処理部２２によって更新された棚卸日が貸出媒体毎に関連付けて記録されている。また、媒体テーブル５３の貸出中台帳Ｎｏ．には、貸出処理が実行された場合に台帳テーブル５４に記録された当該貸出媒体７の登録Ｎｏ．が記録され、返却処理が実行された場合には「なし」と記録される。借用者登録Ｎｏ．には、貸出処理が実行された場合に借用者テーブル５１に記録されている借用者５の登録Ｎｏ．が記録され、返却処理が実行された場合には「なし」と記録される。管理者登録Ｎｏ．には、貸出処理が実行された場合に管理者テーブル５２に記録されている管理者６の登録Ｎｏ．が記録され、返却処理が実行された場合には「なし」と記録される。
【００２９】
図１０に示す台帳テーブル５４には、貸出処理部１９が実行する貸出処理によって、または、返却処理部２０が実行する返却処理によって、貸出媒体７の識別情報８と、借用者５の名前と、管理者６の名前とが関連づけて記録される。ここで、識別情報８は媒体テーブル５３を参照し、借用者５の名前は借用者テーブル５１を参照し、管理者６の名前は管理者テーブル５２を参照することで、それぞれ記録される。後述する貸出処理では、台帳テーブル５４の借用者の欄に借用者５の名前が記録され、貸出管理者の欄には管理者６の名前が記録される。後述する返却処理は、基本的に貸出処理時と同じ借用者５と管理者６が行い、台帳テーブル５４における返却者の欄には借用者５の名前が記録され、返却管理者の欄には管理者６の名前が記録される。また、台帳テーブル５４のＮｏ．の欄には、予め各データ群に対応した登録Ｎｏ．が昇順に付与されている。
【００３０】
照合処理部２５は、返却処理の過程で認証された情報と、返却する媒体を貸出した際の貸出処理によって媒体テーブル５３に格納された情報とを照合する処理を行う。照合処理部２５は、例えば、認証処理部１７で認証された借用者５を特定する情報が、媒体読み込み処理部１６で取得した識別情報８と関連付けて記憶領域１５内のテーブルに記憶されているかどうかを判定する第１の照合手段として機能する。また、照合処理部２５は、認証処理部１７で認証された管理者６を特定する情報が、媒体読み込み処理部１６で取得した識別情報８と関連付けて記憶領域１５内のテーブルに記憶されているかどうかを判定する第２の照合手段として機能する。尚、ここで言う記憶領域１５内のテーブルとは、媒体テーブル５３を示す。
【００３１】
尚、上記に挙げた機能を有するものであれば、記憶領域１５に記憶される各テーブルの構成は、変形、変更が可能である。例えば、媒体テーブル５３が、台帳テーブル５４の機能を包含していてもよい。すなわち、貸出処理部１９が実行する貸出処理によって、または、返却処理部２０が実行する返却処理によって、媒体テーブル５３に、貸出媒体７の識別情報８と、借用者５の名前と、管理者６の名前とが関連付けて記録されてもよい。
【００３２】
極端な例を挙げれば、記憶領域１５に記憶されるテーブルは、一つのテーブルのみであり、当該テーブルが上記に挙げた各テーブルの機能を有するものであってもよい。
【００３３】
以上の構成を有する媒体貸出管理装置３０は、貸出媒体７の貸し出し、返却の管理を行うことができる。コンピュータ１１を起動したとき、モニタ２４には図１１に示すように、媒体貸出管理装置３０が実行することが可能な処理を示すアイコンがメニューとして表示される。
【００３４】
登録アイコン５５が選択されると、コンピュータ１１によって、貸出媒体７の貸し出しを行う貸出媒体７の登録処理が実行される。貸出アイコン５６が選択されると、特定の貸出媒体７について借用者５と管理者６との間で行う貸出処理が実行される。返却アイコン５７が選択されると、貸出処理を行った貸出媒体７について借用者５と管理者６との間で行う返却処理が実行される。台帳参照アイコン５８が選択されると、台帳テーブル５４を表示用に編集し、モニタ２４に表示するための台帳参照処理が実行される。棚卸アイコン５９が選択されると、媒体テーブル５３に登録された貸出媒体７について棚卸処理が実行される。以下、図面を参照しつつ図１１のメニューに示される各処理について説明する。
【００３５】
図１２は、コンピュータ１１の機能構成である登録処理部１８が実行する貸出媒体７の登録処理のフローチャートを示す。ステップＳ１では、媒体読み込み処理部１６は、貸出媒体７の読み込み処理を実行する。ここで、まずステップＳ１の処理について、図１３を参照しながら説明する。
【００３６】
図１３は、スキャナ１０ｂ、及び、コンピュータ１１の機能構成である媒体読み込み処理部１６が実行するステップＳ１の貸出媒体７の読み込み処理を示すフローチャートである。ステップＳ４では、スキャナ１０ｂが貸出媒体７の画像を取得する。ステップＳ５では、媒体読み込み処理部１６は、ステップＳ４で取得した画像を解析し、識別情報８を抽出する。抽出した識別情報８とスキャナ１０ｂが取得した画像とを終了情報領域に格納することで媒体読み込み処理を完了する（ステップＳ６）。
【００３７】
終了情報領域は、情報を一時的に格納する領域であり、例えば図１６に示すように、貸出媒体７の識別情報８と、貸出媒体７の画像と、認証する借用者５の登録Ｎｏ．と、認証する管理者６の登録Ｎｏ．と、借用者名と、管理者名と、貸出日時と、返却日時と、登録日と、グループ種別とを一時的に格納するための領域である。各処理の過程において、終了情報領域に格納された情報が必要に応じて引き出されて使用される。
【００３８】
図１２において、ステップＳ１を実行後、ステップＳ１５に移行し、終了情報領域に格納された識別情報８及び貸出媒体７の画像と、登録日（現在の日付）を媒体テーブル５３に記録する。その後、完了画面を表示し（ステップＳ１６）、登録処理が完了する。登録処理完了後には、図１１に示すメニュー画面に戻り、他の処理を実行することができる。
【００３９】
図１７は、コンピュータ１１の機能構成である貸出処理部１９が実行する処理である、借用者５が貸出媒体７を借りるときに行われる貸出処理を示すフローチャートである。まず、前述した貸出媒体７の読み込み処理を行う（ステップＳ１）。ステップＳ１７では、ステップＳ１で抽出した識別情報８と、媒体テーブル５３に記録された複数の識別情報とを照合し、一致するものが存在するかどうかを判定する。一致する識別情報が存在しない場合、媒体確認を実施するために運用責任者に通知するためのアラーム等を作動させ（ステップＳ１９）、貸出処理を中断して、図１１に示すメニュー画面に戻る。一致する識別情報が存在する場合、ステップＳ１８へ移行する。
【００４０】
ステップＳ１８では、ステップＳ１で取得した貸出媒体７の画像と、媒体テーブル５３に記録されている画像であって、ステップＳ１７で一致した識別情報に関連付けて記録されている画像とを照合し、一致するかどうかを判定する。画像が一致しない場合、媒体確認を実施するために運用責任者に通知するためのアラーム等を作動させ（ステップＳ２０）、貸出処理を中断して、図１１に示すメニュー画面に戻る。画像が一致する場合、ステップＳ１で抽出した識別情報８を終了情報領域に格納し、ステップＳ２へ移行する。
【００４１】
ステップＳ２では、借用者５の認証処理を行う。図１４は、コンピュータ１１の機能構成である認証処理部１７が実行するステップＳ２の借用者５を認証する処理を示すフローチャートである。
【００４２】
まず、ステップＳ７では、スキャナ１０ａで取得した画像から借用者５の生体情報を取得する。例えば、スキャナ１０ａは、借用者５の手のひらの画像を撮像し、コンピュータ１１が、手のひらの画像から、静脈の情報など借用者５固有の生体情報を取得する。ステップＳ８では、取得した借用者５の生体情報と、借用者テーブル５１の複数の借用者の生体情報とを照合し、一致するものが存在するかどうかを判定する。
【００４３】
一致する生体情報が存在する場合、ステップＳ９へ移行し、借用者５を特定する情報である借用者５の登録Ｎｏ．と、対応する借用者名と、借用者５の認証処理を実行した日時である貸出日時を終了情報領域に格納することで借用者５の認証処理を完了する。一致する生体情報が存在しない場合、人物確認を実施するために運用責任者に通知するためのアラーム等を作動させる（ステップＳ１０）。
【００４４】
借用者の認証処理が終了すると、管理者６の認証処理を行う（図１７のステップS３）。図１５は、コンピュータ１１の機能構成である認証処理部１７が実行するステップＳ３の管理者６を認証する処理を示すフローチャートである。
【００４５】
まず、ステップＳ１１では、スキャナ１０ａで取得した画像から管理者６の生体情報を取得する。例えば、スキャナ１０ａは、管理者６の手のひらの画像を撮像し、コンピュータ１１が、手のひらの画像から、静脈の情報など管理者６固有の生体情報を取得する。ステップＳ１２では、取得した管理者６の生体情報と、管理者テーブル５２の複数の管理者の生体情報とを照合し、一致するものが存在するかどうかを判定する。一致する生体情報が存在する場合、ステップＳ１３へ移行し、管理者６を特定する情報である管理者６の登録Ｎｏ．と、対応する管理者名を終了情報領域に格納することで管理者６の認証処理を完了する。一致する生体情報が存在しない場合、人物確認を実施するために運用責任者に通知するためのアラーム等を作動させる（ステップＳ１４）。
【００４６】
管理者の認証処理が終了すると、終了情報領域に格納された識別情報８と、借用者５の認証処理を実行した日時である貸出日時と、借用者名と、管理者名を関連付けて台帳テーブル５４に記録する（図１７のステップS２１）。図１０において説明するならば、識別情報の欄に識別情報を記録し、貸出日時の欄に貸出日時を記録し、借用者の欄に借用者名を記録し、貸出管理者の欄に管理者名を記録する。
【００４７】
ステップＳ２２では、ステップS２１で各情報を記録したレコードの登録Ｎｏ．と、終了情報領域に格納された借用者５の登録Ｎｏ．と、管理者６の登録Ｎｏ．とをステップS１７において識別情報が一致した媒体テーブル５３のレコードに記録する。図９において説明するならば、貸出中台帳Ｎｏ．の欄に台帳テーブルの登録Ｎｏ．を記録し、借用者登録Ｎｏ．の欄に借用者５の登録Ｎｏ．を記録し、管理者登録Ｎｏ．の欄に管理者６の登録Ｎｏ．を記録する。ステップＳ２２の処理によって、媒体テーブル５３には、どの貸出媒体７に対して貸出処理が行われたかが記録されると共に、貸出処理を行った借用者５の情報と、管理者６の情報とが記録される。ステップＳ２２を実行した後、モニタ２４に貸出処理が完了した旨を伝える完了画面を表示することで貸出処理を完了する（ステップＳ２３）。
【００４８】
図１８は、コンピュータ１１の機能構成である返却処理部２０と照合処理部２５が実行する、借用者５が貸出媒体７の返却を行う返却処理を示すフローチャートである。図１８のステップＳ１からステップＳ２までは、返却処理部２０によって実行されるが、図１７の貸出処理において説明したものと同じであるため、説明を省略する。
【００４９】
ステップＳ２を実行後、照合処理部２５は、終了情報領域に格納された借用者５の登録Ｎｏ．と、ステップＳ１７で一致した媒体テーブル５３の識別情報８に関連付けて記録されている借用者の登録Ｎｏ．とを照合し、一致しているか否かを判定する（ステップＳ２４）。両者が一致しない場合、人物確認を実施するために運用責任者に通知するためのアラーム等を作動させ（ステップＳ２５）、返却処理を中断して、図１１に示すメニュー画面に戻る。両者が一致する場合、ステップＳ３へ移行する。
【００５０】
ステップＳ３の管理者６の認証を実行する処理は、図１５において説明したものと同じである。ステップＳ３を実行後、照合処理部２５は、終了情報領域に格納された管理者６の登録Ｎｏ．と、ステップＳ１７で一致した媒体テーブル５３の識別情報８に関連付けて記録されている管理者の登録Ｎｏ．とを照合し、一致しているか否かを判定する（ステップＳ２６）。両者が一致しない場合、人物確認を実施するために運用責任者に通知するためのアラーム等を作動させ（ステップＳ２７）、返却処理を中断して、図１１に示すメニュー画面に戻る。両者が一致する場合、ステップＳ２８へ移行する。
【００５１】
ステップＳ２８では、終了情報領域に格納された借用者５の認証処理を実行した日時である返却日時と、借用者名と、管理者名を関連付けて台帳テーブル５４の当該返却処理を実行した貸出媒体７の識別情報が記録されているレコードに記録する。図１０において説明するならば、返却日時の欄に返却日時を記録し、返却者の欄に借用者名を記録し、返却管理者の欄に管理者名を記録する。
【００５２】
ステップＳ２９では、貸出処理時に媒体テーブル５３に記録された台帳の登録Ｎｏ．と、借用者５の登録Ｎｏ．と、管理者６の登録Ｎｏ．とを「なし」に上書きし、媒体テーブル５３に記録する。ステップＳ２９を実行した後、モニタ２４に返却処理が完了した旨を伝える完了画面を表示することで返却処理を完了する（ステップＳ３０）。
【００５３】
図１９は、コンピュータ１１の機能構成である台帳参照処理部２１が実行する台帳参照処理を示すフローチャートである。台帳参照処理とは、台帳テーブル５４に記録された情報を表示用に編集し、モニタ２４に表示する処理である。
【００５４】
まず、台帳テーブル５４を入力した検索条件で検索し（ステップＳ３１）、検索した条件に合致したレコードの情報（識別情報と、貸出日時と、返却日時と、借用者と、貸出管理者と、返却者と、返却管理者）を読み取る（ステップＳ３２）。検索条件は、例えば、識別情報、借用者、貸出管理者、貸出日時、返却日時、返却者、返却管理者、又はそれらの組み合わせである。
【００５５】
ステップＳ３３では、ステップS３２で読み取ったレコードの情報を表示用に編集した表示データを作成する。
【００５６】
ステップＳ３４では、ステップＳ３３で作成した表示データをモニタ２４の画面に表示し、台帳参照処理を終了する。台帳参照処理によって、台帳テーブル５４に記録された膨大な情報の中から、所望の情報のみを表示データとして表示させることができる。
【００５７】
表示データは、読み取ったレコードの情報から構成されるものであればよく、その表示形式は、図１０の台帳テーブル５４に示すものと同様である。例えば、図２０は、貸出管理者として「佐藤次郎」を検索条件として検索した場合に作成される表示データの表示例を示している。
【００５８】
図２１は、コンピュータ１１の機能構成である棚卸処理部２２が実行する棚卸処理を示すフローチャートである。ステップＳ３５では、棚卸を継続して実行するか、終了するかを、貸出媒体管理装置を使用する使用者に選択させる。棚卸開始時と棚卸を継続する時には、棚卸継続を選択し、ステップＳ１へ移行する。
【００５９】
ステップＳ１では、図１３で説明した貸出媒体７の読み込み処理を実行する。ステップＳ３６では、ステップＳ１で抽出した識別情報８と、媒体テーブル５３に記録された複数の識別情報とを照合し、一致するものが存在するかどうかを判定する。一致する識別情報が存在しない場合、媒体確認を実施するために運用責任者に通知するためのアラーム等を作動させ（ステップＳ３８）、ステップＳ３５へ移行する。一致する識別情報が存在する場合、ステップＳ３７へ移行する。
【００６０】
ステップＳ３７では、ステップＳ１で抽出した貸出媒体７の画像と、媒体テーブル５３に記録されている画像であって、ステップＳ３６で一致した識別情報に関連付けて記録されている画像とを照合し、一致するかどうかを判定する。画像が一致しない場合、媒体確認を実施するために運用責任者に通知するためのアラーム等を作動させ（ステップＳ４０）、ステップＳ３５へ移行する。画像が一致する場合、ステップＳ３９へ移行する。
【００６１】
ステップＳ３９では、ステップＳ３６で一致した媒体テーブル５３の識別情報に関連付けて記録されている棚卸日を現在の日付により更新する。ステップＳ３９を実行後ステップＳ３５へ移行する。
【００６２】
ステップＳ３５で、使用者が棚卸の終了を選択した場合は、ステップＳ４１へ移行する。ステップＳ４１では、モニタ２４の画面に棚卸結果を一覧として表示させ、図１１に示すメニュー画面に戻る。棚卸結果は、例えば、棚卸処理を実行した貸出媒体７毎の媒体テーブル５３に記録されている登録Ｎｏ．と、識別情報と、棚卸日である。図２２に棚卸結果の表示例を示す。
【００６３】
以上のように、本実施形態における媒体貸出管理装置３０では、借用者５と、管理者６とを認証して、借用者５を特定する情報と、管理者６を特定する情報とを記録していることから、別の人物が借用者や管理者を詐称する等の不正行為を防ぐことができる。また、貸出媒体７に付されている識別情報８は、スキャナ１０ｂで撮像した画像を用いてコンピュータ１１において抽出されるため、不正行為や書き間違いなどの人的ミスを防ぐことができる。したがって、借用者５を特定する情報と、管理者６を特定する情報と、貸出媒体７の識別情報８とを関連付けて記録することで、信頼性の高い媒体貸出管理システムを実現できる。
【００６４】
また、本実施形態における媒体貸出管理装置３０では、返却処理時に、借用者５を特定する情報と、管理者６を特定する情報について、貸出処理時に記録した情報との照合が行われる。そのため、貸出時とは違う人物による返却処理が行われた場合に、すぐに責任者に通知されるため、返却時における不正行為を防止することができる。
【００６５】
また、媒体貸出管理装置３０では、各貸出媒体７を、識別情報８を用いて管理しているため、棚卸処理を容易に行うことができる。
【００６６】
また、貸出媒体７に付されている識別情報８は、手書きであってもよい。識別情報８が手書きである場合、筆跡の特徴等についても照合を行うことができるため、印字される文字の羅列よりも偽造が困難な情報であるといえる。したがって、識別情報８が手書きである場合には、朱印９を含む画像による照合を行わなくとも、確実に貸出媒体７を特定することができる。
【００６７】
本実施形態では、媒体読み込み処理で取得した貸出媒体７の識別情報８を媒体テーブル５３に予め登録されている識別情報と照合し、且つ、媒体読み込み処理で取得した貸出媒体７の画像を媒体テーブル５３に予め登録されている画像と照合することで、貸出の対象が媒体テーブル５３に登録された貸出媒体７であることを確認する、即ち、貸出媒体７を認証する例が示されている。
【００６８】
しかしながら、上述したような貸出媒体７の認証は必ず行わなければならないものではない。例えば、図１７に示す貸し出し処理において、識別情報を用いて認証を行うステップＳ１７の処理と、画像を用いて認証を行うステップＳ１８の処理を省略してもよい。上述したような貸出媒体７の認証を省略した場合であっても、貸出の対象である貸出媒体７が特定され、且つ、特定された貸出媒体７の情報が正しく記録される限り、貸出の対象とは異なる貸出媒体の情報を意図的に記録するような不正行為や貸出媒体の情報を誤って記録するような人的なミスを防止することができる。従って、信頼性の高い貸出管理を実現することができる。
【００６９】
以下、図面を参照しつつ本発明の第２の実施形態における媒体貸出管理プログラムを用いた媒体貸出管理装置４０について説明する。媒体貸出管理装置４０の構成は、第１の実施形態で説明した媒体貸出管理装置３０の構成と等しいため、各構成について同一の番号を付して説明される。
【００７０】
各種認証データは、記憶領域１５の各種テーブルに記憶されている。例えば、図２３に示す借用者テーブル６１には、借用者の生体情報が、その生体情報を有する借用者を特定する情報と関連付けて記録されている。記録される借用者の情報には、その借用者が属するグループ種別が割り当てられており、当該グループ種別と借用者の情報が関連付けて記録される。
【００７１】
図２４に示す管理者テーブル６２は、管理者の生体情報が、その生体情報を有する管理者を特定する情報と関連付けて記録されている。記録される管理者の情報には、その管理者が属するグループ種別が割り当てられており、当該グループ種別と管理者の情報が関連付けて記録される。
【００７２】
図２５に示す媒体テーブル６３には、登録処理部１８が登録した識別情報８と、画像と、登録処理部１８によって登録された登録日と、棚卸処理部２２によって更新された棚卸日とが貸出媒体毎に関連付けて記録されている。また、媒体テーブル６３の貸出中台帳Ｎｏ．には、貸出処理が実行された場合に台帳テーブル５４に記録された当該貸出媒体７の登録Ｎｏ．が記録され、返却処理が実行された場合には「なし」と記録される。また、貸出媒体７の識別情報８には、その貸出媒体７が属するグループ種別が割り当てられており、当該グループ種別と識別情報が関連付けて記録されている。
【００７３】
以上の構成を有する媒体貸出管理装置４０は、貸出媒体７の貸し出し、返却の管理を行うことができる。コンピュータ１１を起動したとき、モニタ２４には、図１１に示したように、媒体貸出管理装置４０が実行することが可能な処理がアイコンとしてメニューに表示される。以下、図面を参照しつつ、図１１のメニューに示した媒体貸出管理装置４０が実行する処理について説明する。台帳参照処理と、棚卸処理については、第１の実施形態で説明したものと同様であるため、説明を省略する。
【００７４】
図２６は、コンピュータ１１の機能構成である登録処理部１８が実行する登録処理を示すフローチャートを示す。ステップＳ１では、図１３に示した貸出媒体７の読み込み処理を行う。
【００７５】
ステップＳ４５では、終了情報領域に格納された識別情報８と、貸出媒体７の画像と、登録日を媒体テーブル６３に記録する。また、ここで貸出媒体７の識別情報８に対して特定のグループ種別を割り当て、当該グループ種別を識別情報８と関連付けて媒体テーブル６３に記録する。割り当てるグループ種別は、借用者テーブル６１のグループ種別の欄から入手し、媒体テーブル６３に記録する。これにより、貸出媒体７が特定のグループ種別に属することになる。以上の処理によって登録処理が完了する（ステップＳ４６）。登録処理完了後には、図１１に示すメニュー画面に戻り、他の処理を実行することができる。尚、貸出媒体７が属するグループ種別は、例えば、当該貸出媒体７の貸し出しを行う借用者５が予め想定されるような場合に、当該借用者５が属するグループ種別と同じグループ種別である。
【００７６】
図２７は、コンピュータ１１の機能構成である貸出処理部１９が実行する、借用者５が貸出媒体７の貸し出しを行う場合の貸出処理を示すフローチャートである。ステップＳ１では、図１３に示した貸出媒体７の読み込み処理を行う。ステップＳ４８では、ステップＳ１で抽出した識別情報８と、媒体テーブル６３に記録された複数の識別情報とを照合し、一致するものが存在するかどうかを判定する。一致する識別情報が存在しない場合、媒体確認を実施するために運用責任者に通知するためのアラーム等を作動させ（ステップＳ４９）、貸出処理を中断して、図１１に示すメニュー画面に戻る。一致する識別情報が存在する場合、ステップＳ５０へ移行する。
【００７７】
ステップＳ５０では、ステップＳ１で抽出した貸出媒体７の画像と、媒体テーブル６３に記録されている画像であって、ステップＳ４８で一致した識別情報に関連付けて記録されている画像とを照合し、一致するかどうかを判定する。画像が一致しない場合、媒体確認を実施するために運用責任者に通知するためのアラーム等を作動させ（ステップＳ５１）、貸出処理を中断して、図１１に示すメニュー画面に戻る。画像が一致する場合、ステップＳ１で抽出した識別情報８を終了情報領域に格納し、ステップＳ５２へ移行する。
【００７８】
ステップＳ５２では、媒体テーブル６３に記録されている、ステップＳ４８で一致した識別情報に関連付けて記録されているグループ種別を終了情報領域内のグループ種別（Ｇ０）に格納する。即ち、貸出媒体７が属するグループ種別を終了情報領域に格納する。
【００７９】
ステップＳ２では、前述した借用者５の認証処理を行う。尚、ここでは、終了情報領域に借用者５の登録Ｎｏ．と、対応する借用者名と、借用者５の認証処理を実行した日時である貸出日時を格納する。また、ステップＳ２におけるステップＳ８の生体情報の認証では、取得した借用者５の生体情報と、借用者テーブル６１の複数の借用者の生体情報とを照合する。ステップＳ５３では、借用者テーブル６１に記録されている、ステップＳ８で一致した借用者の生体情報に関連付けて記録されているグループ種別を終了情報領域内のグループ種別（Ｇ１）に格納する。即ち、借用者５が属するグループ種別を終了情報領域に格納する。
【００８０】
ステップＳ３では、管理者６の認証処理を行い、ステップＳ５４へ移行する。尚、ここでは、終了情報領域に管理者６の登録Ｎｏ．と、対応する管理者名を格納する。また、ステップＳ３におけるステップＳ１２の生体情報の認証では、取得した管理者６の生体情報と、管理者テーブル６２の複数の管理者の生体情報とを照合する。ステップＳ５４では、管理者テーブル６２に記録されている、ステップＳ１２で一致した管理者の生体情報に関連付けて記録されているグループ種別を終了情報領域内のグループ種別（Ｇ２）に格納する。即ち、管理者６が属するグループ種別を終了情報領域に格納する。
【００８１】
ステップＳ５５では、貸出媒体７が属するグループ種別（Ｇ０）と、借用者５が属するグループ種別（Ｇ１）と、管理者６が属するグループ種別（Ｇ２）とを照合する。具体的には、これらの３つのグループ種別（Ｇ１、Ｇ１、Ｇ２）が等しいグループ種別であるかどうかの照合を行う。グループ種別が一致しない場合、媒体確認及び人物確認を実施するために運用責任者に通知するためのアラーム等を作動させ（ステップＳ５６）、貸出処理を中断して、図１１に示すメニュー画面に戻る。一方、グループ種別が一致した場合、貸出媒体７の貸し出しが許可されて、ステップＳ５７へ移行する。即ち、本実施形態では、コンピュータは、上述した３つのグループ種別を照合する照合手段、その照合結果に基づいて貸出媒体７の貸し出しの可否を制御する許可制御手段、として機能する。
【００８２】
ステップＳ５７では、終了情報領域に格納された識別情報８と、借用者５の認証処理を実行した日時である貸出日時と、借用者名と、管理者名を関連付けて台帳テーブル５４に記録する。図１０において説明するならば、貸出日時の欄に貸出日時を記録し、借用者の欄に借用者名を記録し、貸出管理者の欄に管理者名を記録する。
【００８３】
ステップＳ５８では、ステップＳ５７で各情報を記録したレコードの登録Ｎｏ．をステップＳ４８において識別情報が一致した媒体テーブル６３のレコードの貸出中台帳Ｎｏ．の欄に記録する。ステップＳ５８の処理によって、媒体テーブル６３には、どの貸出媒体７が貸出処理を行ったかが記録される。ステップＳ５８を実行した後、モニタ２４に貸出処理が完了した旨を伝える完了画面を表示することで貸出処理を完了する（ステップＳ５９）。
【００８４】
図２８は、コンピュータ１１の機能構成である返却処理部２０と照合処理部２５が実行する、借用者５が貸出媒体７の返却を行う返却処理を示すフローチャートである。ステップＳ１では、図１３に示した貸出媒体７の読み込み処理を行う。ステップＳ６０では、照合処理部２５は、ステップＳ１で抽出した識別情報８と、媒体テーブル６３に記録された複数の識別情報とを照合し、一致するものが存在するかどうかを判定する。一致する識別情報が存在しない場合、媒体確認を実施するために運用責任者に通知するためのアラーム等を作動させ（ステップＳ６１）、返却処理を中断して、図１１に示すメニュー画面に戻る。一致する識別情報が存在する場合、ステップＳ６２へ移行する。
【００８５】
ステップＳ６２では、照合処理部２５は、ステップＳ１で抽出した貸出媒体７の画像と、媒体テーブル６３に記録されている画像であって、ステップＳ６０で一致した識別情報に関連付けて記録されている画像とを照合し、一致するかどうかを判定する。画像が一致しない場合、媒体確認を実施するために運用責任者に通知するためのアラーム等を作動させ（ステップＳ６３）、返却処理を中断して、図１１に示すメニュー画面に戻る。画像が一致する場合、ステップＳ１で抽出した識別情報８を終了情報領域に格納し、ステップＳ６４へ移行する。
【００８６】
ステップＳ６４では、媒体テーブル６３に記録されている、ステップＳ６０で認証した識別情報８に関連付けて記録されているグループ種別を終了情報領域内のグループ種別（Ｇ０）に格納する。即ち、貸出媒体７が属するグループ種別を終了情報領域に格納する。
【００８７】
ステップＳ２では、前述した借用者５の認証処理を行う。尚、ここでは、終了情報領域に借用者５の登録Ｎｏ．と、対応する借用者名と、借用者５の認証処理を実行した日時である返却日時を格納する。また、ステップＳ２におけるステップＳ８の生体情報の認証では、取得した借用者５の生体情報と、借用者テーブル６１の複数の借用者の生体情報とを照合する。ステップＳ６５では、借用者テーブル６１に記録されている、ステップＳ８で一致した借用者の生体情報に関連付けて記録されているグループ種別を終了情報領域内のグループ種別（Ｇ１）に格納する。即ち、借用者５が属するグループ種別を終了情報領域に格納する。
【００８８】
ステップＳ３では、管理者６の認証処理を行い、ステップＳ２１へ移行する。尚、ここでは、終了情報領域に管理者６の登録Ｎｏ．と、対応する管理者名を格納する。また、ステップＳ３におけるステップＳ１２の生体情報の認証では、取得した管理者６の生体情報と、管理者テーブル６２の複数の管理者の生体情報とを照合する。ステップＳ６６では、管理者テーブル６２に記録されている、ステップＳ１２で一致した管理者の生体情報に関連付けて記録されているグループ種別を終了情報領域内のグループ種別（Ｇ２）に格納する。即ち、管理者６が属するグループ種別を終了情報領域に格納する。
【００８９】
ステップＳ６７では、貸出媒体７が属するグループ種別（Ｇ０）と、借用者５が属するグループ種別（Ｇ１）と、管理者６が属するグループ種別（Ｇ２）とを照合する。具体的には、これらの３つのグループ種別（Ｇ１、Ｇ１、Ｇ２）が等しいグループ種別であるかどうかの照合を行う。グループ種別が一致しない場合、媒体確認及び人物確認を実施するために運用責任者に通知するためのアラーム等を作動させ（ステップＳ６８）、返却処理を中断して、図１１に示すメニュー画面に戻る。一方、グループ種別が一致した場合、貸出媒体７の返却が許可されて、ステップＳ６９へ移行する。即ち、本実施形態では、コンピュータは、上述した３つのグループ種別を照合する照合手段、その照合結果に基づいて貸出媒体７の返却の可否を制御する許可制御手段、として機能する。
【００９０】
ステップＳ６９では、終了情報領域に格納された借用者５の認証処理を実行した日時である返却日時と、借用者名と、管理者名を関連付けて台帳テーブル５４に記録する。図１０において説明するならば、返却日時の欄に返却日時を記録し、返却者の欄に借用者名を記録し、返却管理者の欄に管理者名を記録する。
【００９１】
ステップＳ７０では、貸出処理時に媒体テーブル６３に記録された台帳の登録Ｎｏ．を「なし」に上書きし、媒体テーブル６３に記録する。ステップＳ７０を実行した後、モニタ２４に返却処理が完了した旨を伝える完了画面を表示することで返却処理を完了する（ステップＳ７１）。
【００９２】
以上のように、媒体貸出管理装置４０においても、借用者５を特定する情報と、管理者６を特定する情報と、貸出媒体７の識別情報８とを関連付けて記録することで、信頼性の高い貸出管理システムを実現できる。
【００９３】
また、媒体貸出管理装置４０では、借用者５を特定する情報に割り当てられたグループ種別と、管理者６を特定する情報に割り当てられたグループ種別と、貸出媒体７の識別情報８に割り当てられたグループ種別とが一致するかどうかの照合が行われる。そのため、あるグループ種別が割り当てられた貸出媒体７について、同じグループ種別が割り当てられた借用者５と管理者６とにより貸出処理と返却処理を行うことができる。例えば、同じ企業の複数の人物について同じグループ種別を割り当てておくことで、貸出処理と返却処理を同じ企業の異なる人物が行うことが可能となり、貸出媒体７の貸し出しと返却をよりスムーズに行うことができる。
【００９４】
本実施形態では、借用者５が属するグループ種別と、管理者６が属するグループ種別と、貸出媒体７が属するグループ種別とを取得し、それら３つの種別を照合した結果に基づいて、貸出媒体７の貸出又は返却の可否を制御する例が示されている。
【００９５】
しかしながら、許可制御の態様は、上述した態様に限られない。例えば、コンピュータを借用者５と管理者６のそれぞれが貸出媒体７の貸し出しまたは返却を許可されている人物が否かを判定する判定手段（第１の判定手段、第２の判定手段）として機能させてもよい。その上で、それらの判定手段が借用者５と管理者６が貸出媒体７の貸し出し（返却）を許可されている人物であると判定したときに、コンピュータは、貸出媒体７の貸し出し（返却）を許可し、借用者５を特定する情報と、管理者６を特定する情報と、貸出媒体７の識別情報とを関連付けて記録してもよい。
【００９６】
以上の態様においても、借用者５を特定する情報と、管理者６を特定する情報と、貸出媒体７の識別情報８とを関連付けて記録することで、信頼性の高い貸出管理システムを実現できる。また、上記の態様では、借用者５ごとに、貸し出すことが許可されている貸出媒体７を異ならせることができる。このため、例えば借用者の担当業務や職階などに応じた許可制御を実施するなどして、媒体の利用対象者を制限することができる。これにより、貸出媒体７の貸し出しや返却を行う借用者の立場がより多様化した状況にも対応できる媒体貸出管理システムを実現できる。
【００９７】
上述した実施形態は、発明の理解を容易にするために具体例を示したものであり、本発明はこれらの実施形態に限定されるものではない。媒体貸出管理装置は、特許請求の範囲に記載した本発明を逸脱しない範囲において、さまざまな変形、変更が可能である。
【符号の説明】
【００９８】
１、５                        借用者
２、６                        管理者
３、７                        貸出媒体
４                            台帳
８                            識別情報
９                            朱印
１０ａ、１０ｂ                スキャナ
１１                          コンピュータ
１２                          ＣＰＵ
１３                          メモリ
１４                          入出力装置
１５                          記憶領域
１６                          媒体読み込み処理部
１７                          認証処理部１７
１８                          登録処理部
１９                          貸出処理部
２０                          返却処理部
２１                          台帳参照処理部
２２                          棚卸処理部
２３                          入力手段
２４                          モニタ
２５                          照合処理部
３０、４０                    媒体貸出管理装置
５１、６１                    借用者テーブル
５２、６２                    管理者テーブル
５３、６３                    媒体テーブル
５４                          台帳テーブル
５５                          登録アイコン
５６                          貸出アイコン
５７                          返却アイコン
５８                          台帳参照アイコン
５９                          棚卸アイコン
【図１】
2017134791.tif 000003
【図２】
2017134791.tif 000004
【図３】
2017134791.tif 000005
【図４】
2017134791.tif 000006
【図５】
2017134791.tif 000007
【図６】
2017134791.tif 000008
【図７】
2017134791.tif 000009
【図８】
2017134791.tif 000010
【図９】
2017134791.tif 000011
【図１０】
2017134791.tif 000012
【図１１】
2017134791.tif 000013
【図１２】
2017134791.tif 000014
【図１３】
2017134791.tif 000015
【図１４】
2017134791.tif 000016
【図１５】
2017134791.tif 000017
【図１６】
2017134791.tif 000018
【図１７】
2017134791.tif 000019
【図１８】
2017134791.tif 000020
【図１９】
2017134791.tif 000021
【図２０】
2017134791.tif 000022
【図２１】
2017134791.tif 000023
【図２２】
2017134791.tif 000024
【図２３】
2017134791.tif 000025
【図２４】
2017134791.tif 000026
【図２５】
2017134791.tif 000027
【図２６】
2017134791.tif 000028
【図２７】
2017134791.tif 000029
【図２８】
2017134791.tif 000030